(57)【要約】【課題】  プロジェクタの本体にタッチパネル付き表示部を備え、タッチパネルおよびリモコン装置で、プロジェクタに画像を投写させるために必要な各種操作を行えるようにすることで、操作性を更に向上させたプロジェクタを提供する。【解決手段】  プロジェクタ１の本体に設けられたタッチパネル２ａ付き表示部２と、プロジェクタ１を遠隔操作するためのリモコン装置４からの信号を受信する受信部としてのリモコン用回路２４と、プロジェクタ１に画像を投写させるために必要な各種操作をするための操作画面画像４１を表示部２に表示させるＩＦ制御回路２８及びメイン回路３４とを備えた。そして、タッチパネル２ａの操作に基づく第１の操作信号と、リモコン用回路２４を介して受信したリモコン装置４の操作に基づく第２の操作信号との両方を、操作画面画像４１の中の項目を選択する指示として受付け、その受付けた操作信号により選択された項目に応じた所定の処理をメイン回路３４（ＣＰＵ３４ａ）が実行する。【選択図】      図２
2005215144.tif 000002
【特許請求の範囲】
【請求項１】
画像をスクリーンに拡大投写するプロジェクタであって、
プロジェクタの本体に設けられたタッチパネル付き表示部と、
プロジェクタを遠隔操作するためのリモコン装置からの信号を受信する受信部と、
プロジェクタに前記画像を投写させるために必要な各種操作をするための操作画面画像を前記表示部に表示させる操作画面表示処理部と、
前記タッチパネルの操作に基づく第１の操作信号と、前記受信部を介して受信した前記リモコン装置の操作に基づく第２の操作信号との両方を、前記操作画面画像の中の項目を選択する指示として受付け、その受付けた操作信号により選択された項目に応じた所定の処理を実行する操作受付処理部とを備えたことを特徴とするプロジェクタ。
【請求項２】
請求項１に記載のプロジェクタにおいて、
本体に接続された電源ケーブルと、
前記電源ケーブルが電源に接続されたことを検出する電源接続検出部と、
前記電源接続検出部からの前記電源ケーブルが電源に接続された検出信号に基づき閉路される給電スイッチ回路と、
前記給電スイッチ回路の閉路により前記本体に電力が給電されると前記表示部に認証画面画像を表示させる認証画面表示処理部と、
前記認証画面画像で前記タッチパネル又は前記リモコン装置の操作により入力された認証コードを受付けて認証処理を行う認証部とをさらに備え、
前記操作画面表示処理部は、前記認証部により前記認証コードが認証されると、タッチパネルで操作可能な電源スイッチを少なくとも含む前記操作画面画像を前記表示部に表示させることを特徴とするプロジェクタ。
【請求項３】
請求項１または請求項２に記載のプロジェクタにおいて、
前記表示部は前記本体に固定されており、
前記表示部に表示すべき画像の表示向きを特定する信号が与えられると、当該信号に基づいて前記表示部に表示される画像の向きを変更する表示向き変更部をさらに備えたことを特徴とするプロジェクタ。
【請求項４】
請求項３に記載のプロジェクタにおいて、
表示向きの切換え操作をするための操作部を備え、
前記表示向き変更部は、前記操作部の操作に基づく操作信号に基づいて、前記表示部に表示される画像の向きを変更することを特徴とするプロジェクタ。
【請求項５】
請求項３に記載のプロジェクタにおいて、
操作者に携帯される方向検出器が前記本体に対して位置する方向を特定する信号を前記方向検出器から無線で受信する通信部を備え、
前記表示向き変更部は、前記通信部を介して受信した前記信号に基づき特定される方向から前記表示部を見たときに正しい表示向きとなるように前記表示部に表示される画像の向きを変更することを特徴とするプロジェクタ。
【請求項６】
請求項３〜請求項５のいずれか一項に記載のプロジェクタにおいて、
前記表示向き変更部は、前記表示部に表示される画像の向きを変更する場合、前記表示部の表示サイズに応じて、前記操作画面画像のレイアウトを変更することを特徴とするプロジェクタ。
【請求項７】
請求項１〜請求項６のいずれか一項に記載のプロジェクタにおいて、
前記タッチパネルが操作されたときの操作信号に基づき、前記操作画面画像の中の複数の項目のうち、隣接する２箇所以上の項目が選択されたか否かを判断する判断部と、
前記判断部により２箇所以上の項目が選択されたと判断されると、選択された前記２箇所以上の項目を含む前記操作画面画像の一部の表示領域を拡大表示させる拡大画面表示処理部とを備えたことを特徴とするプロジェクタ。
【請求項８】
請求項７に記載のプロジェクタにおいて、
前記拡大表示された前記表示領域の複数の項目のうち１つの項目が選択されると、前記拡大表示前の表示状態に戻す復帰画面表示処理部を備えたことを特徴とするプロジェクタ。
【請求項９】
請求項１〜請求項８のいずれか一項に記載のプロジェクタにおいて、
前記プロジェクタは天吊りも可能なプロジェクタであって、
前記本体が置かれたことを検知する検知部を備えて、当該検知部で検知された場合、前記操作画面画像の投写を行わず、前記表示部に前記操作画面画像を表示することを特徴とするプロジェクタ。
【請求項１０】
請求項９に記載のプロジェクタにおいて、
前記検知部で前記本体が置かれたことが検知されない場合、前記操作画面画像の投写を行うことを特徴とするプロジェクタ。
【請求項１１】
請求項９または請求項１０に記載のプロジェクタにおいて、
前記表示部に前記操作画面画像を表示するか否か、また、前記操作画面画像を投写するか否かの設定情報を予め記憶する記憶部を備えて、
前記検知部で検知された場合、前記記憶部から設定情報を読取り、読取った設定情報に応じて、前記表示部に前記操作画面画像を表示するか否か、前記操作画面画像を投写するか否かを決定する決定部を備えたこと特徴とするプロジェクタ。
【発明の詳細な説明】
【技術分野】
【０００１】
本発明は、画像をスクリーンに拡大投写するプロジェクタに係り、プロジェクタの本体に表示部を備えたプロジェクタに関するものである。
【背景技術】
【０００２】
プロジェクタは会議や講演会などでビジネス用として、また、家庭内での映画鑑賞などのホーム用として、様々な場所で使用されている。そして、プロジェクタを使用する際に、プロジェクタの操作者は、プロジェクタの投写画像を参加者に見やすくするために各種の設定を、スクリーンに投写される設定用の画像を見ながら設定を行っている。
そうした中で、プロジェクタへの入力信号の選択や、画像をスクリーンへ投写する場合の投写条件の設定（画像の台形歪補正など）、音量の設定など、各種の設定を行う場合において、スクリーンに投写された設定用の画像が乱れて読取れないなどの不具合などもあった。このような問題に際し、タッチパネル付きの表示画面をプロジェクタ本体に設置し、設置した表示画面に設定用の画面を表示させて、タッチパネルにより選択する方法が提案されている（特許文献１）。またこの特許文献１によると、表示部は回転可能に設置されており、操作者が本人の位置に応じて、表示部を回転させ設定することも可能であり、操作性を上げている。
【０００３】
【特許文献１】特開２００１−１７４９１５号公報
【発明の開示】
【発明が解決しようとする課題】
【０００４】
しかしながら特許文献１によると、選択画面はシンプルではあるが、設定する際の操作者に対しての情報提供（例えば不具合での情報提供など）がどのように行われるのか説明されていない。また、回転可能に設置された表示部に関し、構造的には詳細に述べられてはおらず、実際に実施するには、表示部を回転させるための機構は複雑となる。そのため、回転動作の信頼性低下が課題となる。また、表示部が回転することで、表示部に接続される回路配線においても、接続動作の信頼性低下が課題となる。
本発明は、上記課題に鑑みてなされたものであり、プロジェクタの本体にタッチパネル付き表示部を備え、タッチパネルおよびリモコン装置で、プロジェクタに画像を投写させるために必要な各種操作を行えるようにすることで、操作性を更に向上させたプロジェクタを提供することを目的とする。
【課題を解決するための手段】
【０００５】
上述した課題を解決し、目的を達成するために、プロジェクタの本体に備えられたタッチパネル付き表示部と、プロジェクタを遠隔操作するためのリモコン装置からの信号を受信する受信部と、プロジェクタに前記画像を投写させるために必要な各種操作をするための操作画面画像を表示部に表示させる操作画面表示処理部と、タッチパネルの操作に基づく第１の操作信号と、受信部を介して受信した前記リモコン装置の操作に基づく第２の操作信号との両方を、操作画面画像の中の項目を選択する指示として受付け、その受付けた操作信号により選択された項目に応じた所定の処理を実行する操作受付処理部とを備えたことを特徴とする。
この発明によると、プロジェクタにタッチパネル付き表示部を備えたため、タッチパネルの操作により、タッチパネルのスイッチ位置と対応付けられた操作画面画像を操作できる。また、リモコン装置を使用して、受信部を介して、操作画面画像の操作を行うことも可能となる。そして、タッチパネルでの操作、およびリモコン装置での操作により、選択された項目に応じた、所定の処理を実行することが可能となる。そのため、プロジェクタの投写するために必要な各種操作の操作性および利便性が向上する。
【０００６】
また、本発明の好ましい態様によれば、本体に接続された電源ケーブルと、電源ケーブルが電源に接続されたことを検出する電源接続検出部と、電源接続検出部からの前記電源ケーブルが電源に接続された検出信号に基づき閉路される給電スイッチ回路と、給電スイッチ回路の閉路により本体に電力が給電されると表示部に認証画面画像を表示させる認証画面表示処理部と、認証画面画像でタッチパネル又はリモコン装置の操作により入力された認証コードを受付けて認証処理を行う認証部とをさらに備え、操作画面表示処理部は、認証部により認証コードが認証されると、タッチパネルで操作可能な電源スイッチを少なくとも含む操作画面画像を表示部に表示させることを特徴とする。
この発明によると、電源ケーブル、電源接続検出部、スイッチ回路によりプロジェクタの本体に電源が給電されると、認証画面表示処理部により認証画面画像が表示される。そして、認証部でタッチパネルまたはリモコン装置の操作により、認証コードを認証処理し、認証されると、電源スイッチを含めた操作画面画像を表示部に表示できる。この構成により、電源投入されても認証を行わせることで、プロジェクタの不正利用防止効果を向上できる。また、認証後に電源スイッチを操作させること、および、その電源スイッチを操作画面画像内に備えたことで、プロジェクタには、機械式のキースイッチを全てなくすことが可能となり、電源投入も認証なしでは行えず、プロジェクタの不正利用防止効果を更に高めることができる。
【０００７】
また、本発明の好ましい態様によれば、表示部は本体に固定されており、表示部に表示すべき画像の表示向きを特定する信号が与えられると、この信号に基づいて表示部に表示される画像の向きを変更する表示向き変更部をさらに備えたことを特徴とする。
この発明によると、表示向き変更部を備えたことで、操作画面画像の表示向きを特定する信号が与えられると、表示部に表示される操作画面画像の向きを変更できるため、操作性が更に向上する。
【０００８】
また、本発明の好ましい態様によれば、表示向きの切換え操作をするための操作部を備え、表示向き変更部は、操作部の操作に基づく操作信号に基づいて、表示部に表示される画像の向きを変更することを特徴とする。
この発明によると、表示向きの切換え操作をするための操作部、例えば操作画面画像内に表示向きの切換え用のスイッチを備えることで、そのスイッチを操作することで、画像の向きを変更できる。そのため、プロジェクタの操作者は、自分の位置で操作画面画像内の切換えスイッチを操作することで、表示画像の向きを見易い位置に変えることができるため、操作性が更に向上する。
【０００９】
また、本発明の好ましい態様によれば、操作者に携帯される方向検出器が本体に対して位置する方向を特定する信号を方向検出器から無線で受信する通信部を備え、表示向き変更部は、通信部を介して受信した信号に基づき特定される方向から表示部を見たときに正しい表示向きとなるように表示部に表示される画像の向きを変更することを特徴とする。
この発明によると、方向検出器とその出力信号を受信する通信部を備えたことで、プロジェクタの操作者は方向検出器を携帯所持することにより、常に操作者に対して、操作し易い向きに操作画像の向きを調整することが可能となり、操作性および利便性が更に向上する。
【００１０】
また、本発明の好ましい態様によれば、表示向き変更部は、表示部に表示される画像の向きを変更する場合、表示部の表示サイズに応じて、操作画面画像のレイアウトを変更することを特徴とする。
この発明によると、例えばプロジェクタに固定される表示部に対して、画像の向きを変えた場合、表示部の表示サイズである、縦/横のサイズの比が、ほぼ同じ場合は、向きを変更する前の操作画面レイアウトと同様の操作画面レイアウトを表示させれば良い。しかし、表示サイズの比が比較的異なる場合においては、操作画面レイアウトを表示サイズに対応させたレイアウトに変更して表示させることができる。
この機能により、固定された表示部の表示サイズの縦/横のサイズが異なっていても、向きを変えて操作画面画像を表示することが可能となる。
【００１１】
また、本発明の好ましい態様によれば、タッチパネルが操作されたときの操作信号に基づき、操作画面画像の中の複数の項目のうち、隣接する２箇所以上の項目が選択されたか否かを判断する判断部と、判断部により２箇所以上の項目が選択されたと判断されると、選択された２箇所以上の項目を含む操作画面画像の一部の表示領域を拡大表示させる拡大画面表示処理部とを備えたことを特徴とする。
この発明によると、タッチパネルの操作により隣接する２箇所以上の項目が選択されたと判断部により判断された場合に、選択された２箇所以上の項目を含む操作画面画像の一部の表示領域を拡大表示する。そのため、操作者は１つ操作すべきところを誤って、例えば２箇所以上の項目を操作した場合に、その２箇所以上の項目を含む表示領域が拡大表示され、一つひとつの項目が拡大表示されるので、確実に所望の項目を操作することが可能となる。よって、操作性が更に向上する。
【００１２】
また、本発明の好ましい態様によれば、拡大表示された表示領域の複数の項目のうち１つの項目が選択されると、拡大表示前の表示状態に戻す復帰画面表示処理部を備えたことを特徴とする。
この発明によると、操作者が拡大表示された操作画面画像で設定項目を操作選択すると、拡大表示される前の、基準となっていた操作画面に戻ることが可能となる。そのため、操作者は以降の操作を効率的に続けることができ、操作の効率化を図ることが可能となる。
【００１３】
また、本発明の好ましい態様によれば、プロジェクタは天吊りも可能なプロジェクタであって、本体が置かれたことを検知する検知部を備えて、検知部で検知された場合、操作画面画像の投写を行わず、表示部に操作画面画像を表示することを特徴とする。なお、天吊りとは、天井から固定用金具によりプロジェクタを吊り下げて使用することを言う。
この発明によると、プロジェクタを机上などに置いたことが検知部で検知されると、画像を投写するために必要な各種操作をするための操作画面画像をスクリーンには投写させずに、表示部にのみ表示させることが可能となる。机上にプロジェクタを置いて使用する場合においては、操作者は、操作者以外の、例えば会議の参加者に、各種操作を見せることなく操作できる。また、会議出席者も投写された操作画面に違和感を持つことがなくなる。
【００１４】
また、本発明の好ましい態様によれば、検知部で本体が置かれたことが検知されない場合、操作画面画像の投写を行うことを特徴とする。
この発明によると、プロジェクタを天吊り状態で使用する場合、検知部で本体が机上などに置かれたことが検知されず、操作画面画像がスクリーンに投写される。操作画面画像をスクリーンに投写させて、リモコン装置により操作することができるため、操作性および利便性が向上する。また、天吊りのように表示部の表示が不要なときは表示させないので電力消費低減に寄与する。
【００１５】
また、本発明の好ましい態様によれば、表示部に操作画面画像を表示するか否か、また、操作画面画像を投写するか否かの設定情報を予め記憶する記憶部を備えて、検知部で検知された場合、記憶部から設定情報を読取り、読取った設定情報に応じて、表示部に操作画面画像を表示するか否か、操作画面画像を投写するか否かを決定する決定部を備えたことを特徴とする。
この発明によると、表示部に操作画面画像を表示するか否か、また、操作画面画像を投写するか否かの設定情報を予め記憶する記憶部を備えているため、検知部で検知されると、記憶部から設定情報を読取り、設定情報に応じて操作画面画像を表示部に表示するか、投写するか、または表示と投写の両方を行うか決めることが可能となる。そのため、机上に置いてプロジェクタを使用する場合にも、表示部に表示するだけでなく、操作画面画像をスクリーンに投写することもでき、操作者の都合に合わせて設定することが可能になる。
【発明を実施するための最良の形態】
【００１６】
以下、本発明の実施形態を図面に基づいて説明する。
【００１７】
図１は本発明によるプロジェクタの実施形態を示す概略斜視図である。図１を用いて、外観的な構成を説明する。
プロジェクタ１の外観面である全６面に対して、構成の説明のため、上面部１ａ、前面部１ｂ、左側面部１ｃ、右側面部１ｄ、背面部１ｅ、底面部１ｆとして示す。
上面部１ａにはタッチパネルを付加した表示部２や、スピーカ用の報音穴１１や、ランプの異常など知らせるＬＥＤ（Light Emitting Diode）１２などが設けられている。
前面部１ｂには画像を拡大投写する投写レンズ８や、プロジェクタ１の本体１ｇ内の熱を排気する排気口９やリモコン装置からの信号を受信するリモコン受光部６などが設けられている。
左側面部１ｃにはプロジェクタ１の本体１ｇ内の冷却や、本体１ｇ内の光源であるランプ部（図示せず）などを冷却するための外気を取り込むための吸気口１０などが設けられている。
右側面部１ｄにはプロジェクタ１を持ち運びするための取っ手（図示せず）や、プロジェクタ１の本体１ｇ内部を冷却するための吸気口（図示せず）などが設けられている。
背面部１ｅには光源であるランプの取換え用の機構（図示せず）や、外部からの入力信号を取り込むための接続用のインターフェースである映像入力端子（図示せず）などが設けられている。
底面部１ｆには、プロジェクタ１を固定する、高さ調整可能な足１３と固定足１４（図１３に示す）の２種類の足や、プロジェクタ１の本体１ｇ内部を冷却するための吸気口（図示せず）などが設けられている。
また底面部１ｆにはプロジェクタ１を天吊り状態で使用する場合に、固定用として使用する固定部１６（図１３に示す）なども設けられている。
【００１８】
次に、タッチパネル付き表示部２の構成と動作を説明する。
タッチパネル２ａを付加した表示部２は表示用のパネルとして、ＴＦＴ（Thin Film Transistor）方式のＬＣＤ（Liquid Crystal Display）を採用している。また、タッチパネル２ａは具体的には抵抗膜方式のタッチパネルを採用している。抵抗膜方式のタッチパネルは、透明導電物質のＩＴＯ（Indium Tin Oxide）をガラスとＰＥＴ（Poly Ethylene Terephthalate）フィルムに成膜して、そのガラスとＰＥＴフィルムをドット状のスペーサにより所定のギャップを設けて貼り合わせた構造になっている。そして、タッチパネルのＸＹ方向に電圧を印加して、指先などでタッチパネルの表面を操作（押下）すると、操作した位置の電圧を分圧として取り出し、取り出した分圧をＸＹ座標に変換して操作した位置が認識できる方式である。
【００１９】
図２は実施形態の全体を示す回路系の概略構成図である。図２を用いて構成を説明する。
プロジェクタ１の回路系は、タッチパネル２ａを付加した表示部２、リモコン装置４、リモコン用回路２４、電源ケーブル２０、電源回路２２、外部通信回路２６、ＩＦ（interfaceの略称）制御回路２８、映像入力回路３０、ランプ駆動回路３２、メイン回路３４、投写用液晶駆動回路３６、液晶パネル３８などから構成される。そして、光学系として、投写レンズ８も示している。
【００２０】
ここで、プロジェクタ１の光学系について、構成を簡単に説明する。
プロジェクタ１は、投写レンズ８の他に、図示はしないが、光源としてのランプ、ランプの光を偏向や分光および導光など行うための偏向板やダイクロイックミラーおよびコンデンサレンズなどの光学部材、および、分光され、液晶パネル３８から出射された光を合成して投写レンズ８に出射するダイクロイックプリズムなども備えている。ダイクロイックプリズムからの合成された出射光は、投写レンズ８で拡大され、スクリーン４０に投写される。
【００２１】
次に回路系の動作を簡単に説明する。
プロジェクタ１は本体１ｇに電源ケーブル２０の一方を接続し、他方をコンセントに接続すると電源回路２２内の検出回路２２ａにより、電源に接続されたことを検出する検出信号を出力し、電源回路２２内のスイッチ回路２２ｂが閉路し、電力を本体１ｇに給電する。映像入力回路３０は、パソコン（Personal Computer）やＤＶＤ（Digital Versatile Disc）再生装置などから接続ケーブルを用いて接続され、画像などの信号が入力される。入力された画像信号は、メイン回路３４に出力される。メイン回路３４は、画像の処理や信号処理を行うＣＰＵ３４ａ、プログラムなど記憶するＲＯＭ（Read Only Memory）などを含むメモリ３４ｂなどで構成されている。メイン回路３４では、映像入力回路３０から入力した画像信号を投写用液晶駆動回路３６に出力する。そして、投写用液晶駆動回路３６により、液晶パネル３８に各色光ごとに駆動用信号が出力されて、液晶パネル３８をそれぞれ駆動することになる。その液晶パネル３８で制御された各色光がダイクロイックプリズム（図示せず）で合成され、投写レンズ８で拡大され、スクリーン４０に投写される。また、メイン回路３４は光源であるランプ（図示せず）を駆動するランプ駆動回路３２の制御も行っている。
【００２２】
タッチパネル２ａを操作者が操作（特定の箇所を押下）すると、その操作した位置に応じた信号（第１の操作信号）がタッチパネル２ａから出力される。出力された信号はＩＦ制御回路２８に入力し、タッチパネル２ａの操作した位置に対応する設定項目を読取り、それに応じる信号を出力する。ここで、ＩＦ制御回路２８は表示部２（タッチパネル２ａ）とメイン回路の中間に入り、その内部に有するＣＰＵにより表示部２（タッチパネル２ａ）などユーザーインターフェイス系の各種制御を行っている。具体的には、タッチパネル２ａでの操作信号をメイン回路３４に出力し、メイン回路３４からの信号により、対応した表示画像を表示部２に出力している。そしてＩＦ制御回路２８は操作画面用の画像データなどを格納するＲＯＭを備え、そのＣＰＵがタッチパネル２ａおよびメイン回路３４からの信号により、表示部２を制御する。また、ＩＦ制御回路２８は、前述のようにリモコン用回路２４の制御も行っている。操作者がリモコン装置４を操作した場合には、リモコン装置４からの送信信号をリモコン用回路２４で受信し、リモコン用回路２４は受信信号（第２の操作信号）をＩＦ制御回路２８に出力する。そして、リモコンの操作内容を読取り、それに応じた出力信号をメイン回路３４に出力する。ＩＦ制御回路２８とメイン回路３４により、操作画面表示処理部が構成されて、プロジェクタ１に画像を投写させるために必要な各種の操作をするための操作画面画像４１（図３を参照）を表示部２に表示させている。
【００２３】
タッチパネル２ａおよびリモコン用回路２４からの出力信号は、ＩＦ制御回路２８に入力し、ＩＦ制御回路２８から出力された信号はメイン回路３４に入力する。
メイン回路３４では入力した信号に基づき、対応する動作を行わせる信号をＩＦ制御回路２８や映像入力回路３０やランプ駆動回路３２および投写用液晶駆動回路３６などに出力し、それぞれの動作を行わせる働きをする。このように、メイン回路３４は、操作受付け処理部として、タッチパネル２ａおよびリモコン用回路２４からの出力信号を受付けて処理を行っている。
【００２４】
また、外部通信回路２６は電波通信などによる通信で外部からの入力した符号化された画像信号を受信しＩＦ制御回路２８に出力する。そして、ＩＦ制御回路２８は入力した画像信号を復号化して映像信号を出力する。出力された映像信号はメイン回路３４に入力する。以降の動作は上記、映像入力回路３０に画像信号が入力された場合と同様な動作となる。
【００２５】
また、リモコン装置４は、表示部２に表示される操作画面画像の操作や、投写された操作画面画像の操作を行う場合に使用され、操作した信号はリモコン送信部４ｂから赤外線を使用し、リモコン受光部６を介してリモコン用回路２４で受信される。また、リモコン装置４は位置センサ４ａを備えており、本実施形態では位置センサ４ａは振動ジャイロで構成されている。リモコン装置４はこの位置センサ４ａにより、プロジェクタ１に対するリモコン装置４の位置方向を指定するために必要な位置データを、赤外線を使用してリモコン用回路２４と通信することも行っている。詳細は後述する。
【００２６】
図３は表示部に表示される操作画面画像の例を示した図である。図３を用いて表示部２の構成を説明する。
本実施形態の表示部２にタッチパネル２ａで操作可能に表示される操作画面画像４１は、３種類の表示領域４１ａ〜４１ｃに分割されている。表示部の上側から、System表示部４１ａ、User表示部４１ｂ、Information表示部４１ｃという構成になっている。
図３は操作画面画像４１のうちの一つである設定画面画像４２を示し、この設定画面画像４２のSystem表示部４１ａは、同図に示すように、電源スイッチ４２ａ、エスケープスイッチ４２ｂと言った、常に表示しておかないと不都合が生じるスイッチなどを表示する領域である。このSystem表示部４１ａにはVIEWスイッチ４２ｃ、メニュースイッチ４２ｄおよびエンタースイッチ４２ｅも表示されている。VIEWスイッチ４２ｃについては後述する。
User表示部４１ｂはSystem表示部４１ａに表示するスイッチ以外のスイッチを表示する領域である。例えば、画像を投写するために必要な各種の投写条件を設定および修正するスイッチである、図３に示すように、台形補正スイッチ４２ｆや入力ソーススイッチ４２ｇやカラーモードスイッチ４２ｈなどがこの領域に表示される。また、User表示部４１ｂには次にすべき操作の説明なども表示される。
Information表示部４１ｃはプロジェクタ１の内部情報を表示する領域である。内部情報とは、例えば図３に示すように、ランプ異常などのエラー情報や現在選択されているソースや映像信号情報などである。
【００２７】
図４はプロジェクタ１に電源を投入してからスクリーン４０に画像を投写するまでの動作を示すフローチャートである。図４を用いてメイン回路３４の処理フローを説明する。
ステップＳ１００で、プロジェクタ１に電源ケーブル２０を接続し、電源のコンセントに電源ケーブル２０が挿入されると、電源回路２２内の電源接続検出部である検出回路２２ａで、電源に接続されたことが検出された検出信号が出力される。そして、電源回路２２内のスイッチ回路２２ｂが動作して閉路し、電源からの電力をプロジェクタ１の本体１ｇに給電する。給電されると、ステップＳ１０１に移行する。そして、ステップＳ１０１で、メイン回路３４は、プロジェクタ１がパスワード認証を行う設定になっているか否かの判断を行う。パスワード認証が設定されている場合はステップＳ１０２に移行する。ここで、メイン回路３４とＩＦ制御回路２８により認証画面表示処理部が構成されており、ステップＳ１０２に移行した場合、メイン回路３４は、認証画面画像である図５（ａ）に示すパスワード入力画面４３を表示させるための信号をＩＦ制御回路２８に出力する。ＩＦ制御回路２８ではその信号に基づき、パスワード入力画面４３を表示部２に表示させる。なお、パスワード認証が設定されていない場合には、ステップＳ１０５に移行して図５（ｂ）に示すスタンバイ画面４４を表示する。
【００２８】
そして、ステップＳ１０３で、操作者により認証コードであるパスワードが入力されたかを判断する。パスワード入力はタッチパネル２ａの操作に基づく操作信号の入力でも、リモコン用回路２４を介して、リモコン装置４の操作に基づく操作信号の入力でも受付けられる。パスワードが入力されると、ステップＳ１０４に移行し、認証部としてのメイン回路３４において、設定されているパスワードをメモリ３４ｂから読み出して、入力されたパスワードと読み出したパスワードとが一致しているか否かのパスワード認証の認証処理が実行される。一致している（認証成功）場合にはステップＳ１０５に移行し、図５（ｂ）に示すスタンバイ画面４４が表示される。ここで、パスワードが一致していなかった（認証失敗）場合には、再度パスワード入力画面４３に戻り、再度パスワードを入力することになる。この場合はInformation表示部４１ｃに認証失敗の情報も表示することになる。
【００２９】
ステップＳ１０５ではスタンバイ画面４４を表示する。スタンバイ画面４４を表示すると、ステップＳ１０６に移行する。ステップＳ１０６では前述したステップＳ１０１と同様に、プロジェクタ１がパスワード認証を行う設定になっているか否かの判断を行う。パスワード認証が設定されている場合はステップＳ１０７に移行する。また、パスワード認証が設定されていない場合には、ステップＳ１０８に移行する。ステップＳ１０７に移行すると、メイン回路３４はステップＳ１０５のスタンバイ画面表示であるスタンバイ画面４４の状態から、後述するステップＳ１０８で電源スイッチ４２ａが“ON”されるまでの経過時間を計測し、所定の時間が経過したか否かを判断する。そして、所定時間が経過した場合にはステップＳ１０２に移行し（戻り）、再度、パスワード入力画面表示であるパスワード入力画面４３の状態となり、ステップＳ１０３以降のステップを再度行うことになる。また、この場合、パスワード入力画面４３のInformation表示部４１ｃに、時間が経過してパスワード入力画面表示になった情報も表示することになる。
ここで、ステップＳ１０８では、操作者により表示部２の操作画面画像内のSystem表示部４１ａに表示される電源スイッチ４２ａが操作されたか否かを判断している。そして、電源スイッチ４２ａの入力信号がメイン回路３４に入力（“ON”）されると、ステップＳ１０９に移行する。
ステップＳ１０９において、メイン回路３４はランプ駆動回路３２にランプ点灯の信号を出力し、ランプ駆動回路３２はランプの点灯動作を実施する。ステップＳ１１０では、実際にランプが点灯したか否かを判断する。そして、判断部であるメイン回路３４が点灯したと判断した場合には、ステップＳ１１１に移行する。ステップＳ１１１では、画像投写を行うために必要な各種の設定を行う操作画面画像である図３に示す設定画面画像４２を表示部２に表示する。そして、まず、プロジェクタ１に入力するソースの選択を行う。入力ソースが選択されると、プロジェクタ１は入力されたソースの画像をスクリーン４０に投写する。入力ソースの選択が行われない場合には、初期設定された、例えばブルーのみの画面を投写する。入力ソースが選択されて、画像が投写された以降は、操作者の意図するように、表示部２の設定画面画像４２で、その他各種の設定を行う。
なお、ステップＳ１１０のランプ点灯したか否かの判断処理で、点灯に失敗したと判断した場合には、ステップＳ１１２に移行し、図５（ｃ）に示すランプ異常画面４５の表示を行い終了する。
【００３０】
図５は図４で説明したステップにおける表示例を示す図である。
図５（ａ）はパスワード入力画面４３の表示例である。User表示部４１ｂに、パスワードを入力（操作）させるための説明と、実際入力するための数字スイッチ４３ａを表示し、入力毎に“＊”マークが表示される。また、System表示部４１ａにはパスワードを入力し、入力を確定するためのエンタースイッチ４２ｅや入力失敗時に取消すためのエスケープスイッチ４２ｂなどが表示されている。そして、Information表示部４１ｃには、現在の操作情報である、パスワードを入力する状態であることなどを操作者に知らせる表示がされる。
【００３１】
図５（ｂ）はスタンバイ画面４４の表示例である。User表示部４１ｂに、電源スイッチ４２ａを操作させるための説明が表示される。また、System表示部４１ａには電源スイッチ４２ａなどが表示されている。そして、Information表示部４１ｃには、現在の操作情報である、スタンバイ状態であることなどを操作者に知らせる表示がされる。
電源スイッチ４２ａを操作画面画像４１に表示させたため、プロジェクタ１の外観面には機械的なキースイッチ全てがなくなる。
【００３２】
図５（ｃ）はランプ異常画面４５の表示例である。User表示部４１ｂに、ランプが点灯失敗した原因と、どうすれば良いのかが表示される。そして、Information表示部４１ｃには、現在の操作情報である、ランプ温度異常の状態であることなどを操作者に知らせる表示がされる。このとき、メイン回路３４は、プロジェクタ１の上面部１ａに設けられているＬＥＤ１２に対して、異常での表示、例えば温度の異常であるなら赤色の点灯表示をさせるなどの制御も行い、操作者に知らせる。
【００３３】
図５（ｄ）は図４のフローも含めプロジェクタ１を動作させている場合に、プロジェクタ１に何らかの異常が発生した場合に表示される異常報知画面４６の表示例を示している。この例では、User表示部４１ｂに、システム異常が発生したことの表示と、修理を行う場合の連絡先などが表示される。そして、Information表示部４１ｃには、現在の操作情報である、内部異常の状態であることなどを操作者に知らせる表示がされる。このとき、メイン回路３４は、プロジェクタ１の上面部１ａに設けられているＬＥＤ１２に対して、異常での表示、例えばシステム異常であるなら赤色の点滅表示をさせるなどの制御も行い、操作者に知らせる。
【００３４】
図６はプロジェクタ１の電源を“OFF”する場合の電源OFF確認画面４７の表示例である。
図６（ａ）は、この表示になる以前に、一度電源スイッチ４２ａを操作した場合に表示される電源OFF確認画面４７の表示例である。User表示部４１ｂには、電源を“OFF”するのか、間違って入力したのかを聞く表示がされる。ここで電源を“OFF”する場合は、再度電源スイッチ４２ａを操作する。“OFF”せず使用する場合にはエスケープスイッチ４２ｂを操作する。
【００３５】
図６（ｂ）は図６（ａ）で電源を“OFF”するために再度電源スイッチ４２ａを操作した場合に、次の表示として、表示される注意画面４８の表示例である。この表示は、電源を“OFF”にしても、電源ケーブル２０を抜かないで欲しいことを表示している。電源ケーブル２０を電源“OFF”後に直ぐ抜かれると、プロジェクタ１の本体１ｇ内の温度を下げるためのファンに電源供給できなくなり、各種の光学関係部材の信頼性を低下させることにもなるため、電源OFF後、一定時間はファンを動作させて各種の光学関係部材の温度を、ある程度まで下げる必要があるためである。Information表示部４１ｃには、現在の操作情報である、プロジェクタ１の本体１ｇ内の温度を下げている状態である、クールダウン中という表示が表示される。その後、数十秒経過後、図５（ｂ）に示したスタンバイ画面４４が表示される。
【００３６】
なお、操作画面画像４１の選択項目を入力するのは、タッチパネル２ａを操作することでも、リモコン装置４を操作することでも、両方で操作できるようになっている。ただし、タッチパネル２ａで操作するか、リモコン装置４で操作するかは、表示部２に表示される操作画面画像４１内で設定可能である。また、リモコン装置４に備えられたリモコン操作スイッチ１１２（図７で示す）を“OFF”することで、リモコン操作を無効にできる。
【００３７】
図７は、本実施形態で使用するリモコン装置４の概略平面図である。図７を用いて、表示部２の操作画面画像４１とリモコン装置４の操作対応を説明する。
リモコン装置４は、各種機能が各スイッチに振分けられている。例えば、電源スイッチ１００や、確定スイッチ（ENTで表示）やエスケープスイッチ（ESCで表示）やメニュースイッチ（MENUで表示）などの領域１０４で示すスイッチが、図３に示したSystem表示部４１ａの表示に対応している。また、領域１０６で示すスイッチが、図３に示したUser表示部４１ｂの入力ソーススイッチ４２ｇの表示に対応している。また、領域１０８で示す数字スイッチが、図５（ａ）に示したUser表示部４１ｂの、パスワード入力用の数字スイッチ４３ａに対応している。また、ジョグスイッチ１０２は、設定項目を選択する場合に使用するスイッチであり、ジョグスイッチ１０２を操作することで、操作画面画像４１の項目を横方向に移動させたり、縦方向に移動させたりする。
なお、リモコン装置４には、リモコン操作スイッチ１１２が備えられ、操作信号を出すか否かを制御している。リモコン操作スイッチ１１２は操作する毎に、“ON”/“OFF”を交互に繰り返す。“ON”状態では、リモコン操作スイッチ１１２の横に備えられたリモコン操作表示用ＬＥＤ１１２ａが点滅表示を行う。一方“OFF”状態では、リモコン操作表示用ＬＥＤ１１２ａは何も点灯しない。
また、リモコン装置４に電源を供給している機械式のスライドスイッチであるリモコン装置用電源スイッチ１１４を“OFF”することで、リモコン装置４は全てのスイッチ操作が無効になる。
【００３８】
図８はプロジェクタ１の本体１ｇに固定された表示部２に表示される操作画面画像４１を含む画像の向きを決めるための、動作を示すフローチャートである。また、図９は画像の一例として画像の向きを変更する時の表示内容を模式的に示した表示例である。
【００３９】
図８および図９を用いて、処理動作および表示例を説明する。
本実施形態では、操作画面画像４１の向きを変更するための、向きを特定する信号を出力するために、２通りの方法を用いている。１つは、図３，図５および図６に図示した、System表示部４１ａに表示される操作部としてのVIEWスイッチ４２ｃを操作することで信号を出力する方法である。もう１つは、リモコン装置４に内蔵された、位置センサ４ａ（振動ジャイロ）を用いて、リモコン装置４を携帯する操作者の現在の位置情報の信号を位置センサ４ａからプロジェクタ１に出力する方法である。ただし、図８に示すフローチャートを説明する場合の操作はSystem表示部４１ａに表示されるVIEWスイッチ４２ｃを操作することとし、リモコン装置４での操作については後述する。
また、本実施例では、メイン回路３４とＩＦ制御回路２８により、表示向き変更部が構成されている。そして、VIEWスイッチ４２ｃ操作による向きを特定する信号をメイン回路３４で処理し、その処理された信号に基づき、ＩＦ制御回路２８で指定された向きに変更させた表示画像を表示部２に表示する。
【００４０】
パスワード認証成功後に最初に操作画面画像４１が表示されるときは、ステップＳ２００において、初期設定方向に操作画面画像４１を表示する。図９では１２０に示す表示が初期設定方向である。詳しくは、図１において、操作者がプロジェクタ１の背面部１ｅ側に立ったときに、表示部２の操作画面画像４１が正しい表示方向として見える表示向きが、初期設定方向である。
【００４１】
ステップＳ２０１では、VIEWスイッチ４２ｃが操作されたか否かを判断する。ここでVIEWスイッチ４２ｃが操作されると、タッチパネル２ａから信号がＩＦ制御回路２８に出力され、ＩＦ制御回路２８からVIEWスイッチ４２ｃが操作されたことの信号をメイン回路３４に出力する。メイン回路３４（ＣＰＵ３４ａ）はＩＦ制御回路２８から入力されたその信号に基づき、VIEWスイッチ４２ｃが操作されたと判断する。VIEWスイッチ４２ｃが操作されたと判断した場合はステップＳ２０２に移行する。ステップＳ２０２ではＩＦ制御回路２８に、表示画像の向きを変更させた表示を行わせるための信号を出力する。ＩＦ制御回路２８は、メイン回路３４からその信号を受けて、その信号により指定された向きに変更させた表示画像を表示する。ここで、本実施形態ではVIEWスイッチ４２ｃが一回操作（押下）される毎に表示の向きを図９における時計回り方向へ９０°ずつ回転させる方法を採用している。そのため、VIEWスイッチ４２ｃが操作されると、その操作時の画像の向きを時計回り方向へ９０°回転させた操作画面画像データをＩＦ制御回路２８内のＲＯＭから読み出して表示部２に表示させる。このステップＳ２０２の表示が図９では１２２に示す図となる。操作画面画像４１は操作者がプロジェクタ１の左側面部１ｃ側に立って表示部２を見たときに正しく見える方向で表示される。
【００４２】
次に、ステップＳ２０３でVIEWスイッチ４２ｃが操作されたか否かを判断し、操作された場合は、ステップＳ２０４で、ステップＳ２０２で表示された表示画像に対して、更に９０°回転した表示画像を表示部２に表示させる。ここで、信号の処理方法はステップＳ２０２と同様の処理方法になるため説明は省略する。このステップＳ２０４の表示が図９では１２４に示す図となる。操作画面画像４１は操作者がプロジェクタ１の前面部１ｂ側に立って表示部２を見たときに正しく見える方向で表示される。
次に、ステップＳ２０５でVIEWスイッチ４２ｃが操作されたか否かを判断し、操作された場合は、ステップＳ２０６で、ステップＳ２０４で表示された表示画像に対して、更に９０°回転した表示画像を表示部２に表示させる。このステップＳ２０６の表示が図９では１２６に示す図となる。操作画面画像４１は操作者がプロジェクタ１の右側面部１ｄ側に立って表示部２を見たときに正しく見える方向で表示される。
次に、ステップＳ２０７でVIEWスイッチ４２ｃが操作されたか否かを判断し、操作された場合は、ステップＳ２００にもどり、ステップＳ２０６で表示された表示画像に対して、更に９０°回転した表示画像である、初期設定方向での表示画像と同一方向の表示画像を表示部２に表示させる。図９では１２０に示す図となる。
【００４３】
このように、本実施形態では初期設定方向の表示画像に対して、VIEWスイッチ４２ｃを操作する毎に、表示方向を９０°毎に変更する表示方法を採用している。よって、４方向に操作画面画像４１を表示することができる。操作者は、VIEWスイッチ４２ｃを操作して自分の位置で見やすい表示向きを決めると、画像投写をさせるために必要な各種操作を正しい表示向きで行うことができる。
【００４４】
次に、リモコン装置４を用いて操作画面画像４１の表示向きを変更する場合の説明をする。
本実施形態では、操作者に携帯される方向検出器として、リモコン装置４を用いている。リモコン装置４は、位置センサ４ａを搭載しており（図２及び図７参照）、位置センサ４ａが現在位置の信号をリモコン装置４のリモコン送信部４ｂから赤外線で出力する。その出力信号をリモコン受光部６を介して通信部であるリモコン用回路２４で受信し、ＩＦ制御回路２８を介してメイン回路３４に信号が入力する。そして、メイン回路３４では、入力した位置センサ４ａの位置情報に基づいて、所定のプログラムにより、プロジェクタ１に対するリモコン装置４の位置を特定することができる。そして、メイン回路３４は、特定された位置から表示部２を見たときに操作画面画像４１が正しい向きで表示されるように操作画面画像４１を表示部２に表示させるための信号をＩＦ制御回路２８に出力する。ＩＦ制御回路２８では信号に基づき特定された位置に対応した向きになる操作画面画像４１を表示部２に表示させる。
【００４５】
本実施形態では、リモコン装置４に搭載される位置センサ４ａとして、振動ジャイロを用いている。振動ジャイロの原理を簡単に説明すると、振動ジャイロを構成する振動体が駆動用圧電素子により駆動され１方向に振動し、その状態で振動体の長手方向の軸を中心とした角速度の入力があると、「コリオリ」現象により直交する方向に振動成分が現われ、検出用圧電素子に電圧が発生するという原理である。
【００４６】
また、図７のリモコン装置４の概略平面図において、位置センサ４ａはリモコン装置４の内部に固定設置されている。そして、位置センサ４ａの位置情報の信号を出力するか否かは、リモコン装置４に設けられた、位置通信操作スイッチ１１０の操作により制御している。位置通信操作スイッチ１１０は操作する毎に、“ON”/“OFF”を交互に繰り返す。“ON”状態では、位置通信操作スイッチ１１０の横に備えられた位置通信操作表示用ＬＥＤ１１０ａが点滅表示を行う。一方“OFF”状態では、位置通信操作表示用ＬＥＤ１１０ａは何も点灯しない。また、“ON”状態のときに位置センサ４ａからの位置情報がプロジェクタ１に送信される。
【００４７】
図１０に本実施形態の操作画面画像４１の表示向きを変更した場合の表示例を示す。
図１０（ａ）は初期設定方向での操作画面画像４１の表示例であり，図１０（ｂ）はVIEWスイッチ４２ｃが操作され９０°表示向きを回転した場合の操作画面画像４１の表示例である。
本実施形態では、プロジェクタ１の本体１ｇに固定される表示部２の縦/横のサイズ比
が、１：１ではないため、図１０（ｂ）に示すように操作画面画像レイアウトを表示部２の縦/横サイズに合わせた操作画面画像レイアウトに変更して表示させている。なお、操作画面画像レイアウトを変更した場合においても、表示部２の表示領域をSystem表示部４１ａ、User表示部４１ｂ、Information表示部４１ｃという３種類に分割した構成になっている。
【００４８】
図１１は図３および図１０に示す表示部２の操作画面画像４１に対して、タッチパネル２ａで設定項目を操作するとき、隣接する設定項目の２箇所を選択した場合の、拡大表示された表示例を示す。具体的には、図３および図１０に示す操作画面画像４１でソースの選択を行うときに、例えばVideoスイッチとD-Subスイッチの隣接するスイッチが同時に操作された場合の拡大表示図の例を示している。
図３,図１０の表示部２において、User表示部４１ｂに、隣接するスイッチ、例えばVideoスイッチとD-Subスイッチが２箇所以上操作された場合に、図１１に示すようにその関係する項目であるソースの選択である、“Video”、“S-Video”、“D-Sub”、“Component”の４つの入力ソーススイッチ４２ｇが表示部２に拡大表示される。誤って複数の設定項目が操作された場合、それらの複数の設定項目を含む領域が、メイン回路３４の信号に基づき、予めＩＦ制御回路２８のＲＯＭに記憶された設定データの中から選択されるようになっている。
また、拡大表示された操作画面画像４１で、操作者が１箇所操作することで、拡大表示される前の、元の操作画面画像４１に戻ることができる。
【００４９】
図１２は、操作画面画像４１において設定項目の隣接するスイッチが２箇所以上操作された場合の動作を示すフローチャートである。図１２を用いて説明する。
図１２のフローチャートで示されるプログラムは、メモリ３４ｂに記憶され、メイン回路３４のＣＰＵ３４ａはメモリ３４ｂから、このプログラムを読み出して実行する。
また、メイン回路３４とＩＦ制御回路２８により拡大画面表示処理部および表示画面復帰処理部が構成されており、メイン回路３４からの信号により、ＩＦ制御回路２８で表示部２に拡大表示や、元の画像表示に復帰させる動作を行っている。
【００５０】
最初にステップＳ３００で通常の設定項目の操作画面画像４１を表示している。そして、ステップＳ３０１でエンタースイッチ４２ｅが操作されると、ここでの設定項目の操作画面画像４１の表示を終わりとするが、エンタースイッチ４２ｅが操作されない場合、ステップＳ３０２に移行して設定項目のスイッチ操作がされたか否かを判断する。ここで、ステップＳ３０１,ステップＳ３０２では、メイン回路３４に備えたカウンターにより、スイッチ操作から次のスイッチ操作までの時間間隔（経過時間）を測定しており、何もスイッチ操作されない時間が所定の時間になると、設定項目の操作画面画像４１の状態を解除することも行う。ステップＳ３０２で操作者がタッチパネル２ａを操作し、メイン回路３４により、スイッチ操作がされたと判断された場合は、ステップＳ３０３に移行する。ステップＳ３０３では、隣接するスイッチが２箇所以上ほぼ同時に操作されたか否かを判断している。この判断は、判断部であるメイン回路３４で判断される。そして、隣接するスイッチが２箇所以上ほぼ同時に操作されたと判断された場合には、メイン回路３４から信号がＩＦ制御回路２８に出力される。そして、ステップＳ３０４に移行して、ＩＦ制御回路２８では、その信号に基づいて、操作された複数の項目を含む領域を、ＩＦ制御回路２８内のＲＯＭから読み出して、その領域を表示部２に拡大表示する。
【００５１】
次に、ステップＳ３０５で、拡大表示された設定項目に対して、スイッチ操作されたか否かを判断し、スイッチ操作された場合には、ステップＳ３０６に移行する。ステップＳ３０６ではスイッチ操作された項目に対応した内容の処理を実行する。
そして、ステップＳ３０６で処理が実行されると、ステップＳ３００に戻り、通常の設定項目の操作画面画像４１を表示することになる。
【００５２】
また、ステップＳ３０３において、隣接するスイッチが２箇所以上操作されなかった（１箇所スイッチ操作された）場合には、ステップＳ３０７に移行する。ステップＳ３０７では、ステップＳ３０６と同様に、スイッチ操作された項目に対応した内容の処理を、実行する。実行した後は、ステップＳ３０１に戻り、設定状態が続く。
以上のフローにより、隣接するスイッチが２箇所以上操作された場合の、判断および処理の制御を行うことになる。
【００５３】
図１３はプロジェクタ１に検知部を設けたときの例示図である。図１３を用いて、検知部について説明する。
図１３（ａ）はプロジェクタ１を机上に置いた状態を示す概略拡大断面図である。
本実施形態では、検知部として検知用スイッチを用いており、検知用スイッチとしてマイクロスイッチ５０を用いている。マイクロスイッチ５０はプロジェクタ１の本体１ｇ内に設置されるマイクロスイッチ用回路基板７０にマイクロスイッチ５０の端子５０ｂを差込み、ハンダ７１で固定される。マイクロスイッチ５０の可動用ピン５０ａがプロジェクタ１の本体１ｇを構成する下ケース６０を突き抜ける方向で、かつ、プロジェクタ１の
高さ調整可能な足１３とは逆側の背面部１ｅ側に位置する固定足１４の中心部に形成された孔を貫通する状態に設けられている。そして可動用ピン５０ａは外部から力が加わらない場合には、固定足１４の先端部１４ａより長く先端部１４ａから突出した状態になっている（同図２点鎖線で表示）。この状態のとき、マイクロスイッチ５０は“OFF”の状態である。この状態から、プロジェクタ１を机上に置いた場合、机上面８０が可動用ピン５０ａを押上げて固定足１４の先端部１４ａと接触する。可動用ピン５０ａは距離Ａを移動する。その状態が机上にプロジェクタ１を置いた場合となる。この状態のとき、マイクロスイッチ５０は“ON”の状態になる。
【００５４】
図１３（ｂ）はプロジェクタを天吊り設置した状態を示す概略拡大断面図である。
天吊りを行う場合には、プロジェクタ１の本体１ｇを構成する下ケース６０に設けられた固定部１６、例えばインサートナットと天井に固定された天吊り金具を構成する固定用部材９０、例えばボルトとでプロジェクタ１と天吊り金具が固定されることで、天吊りを行う。この場合、マイクロスイッチ５０の可動用ピン５０ａは、外部から力が加わらない状態で、固定足１４の先端部１４ａから突出した状態になっている。この状態のとき、マイクロスイッチ５０は“OFF”の状態である。
【００５５】
図１４は検知部での動作を示すフローチャートである。図１４を用いてフローを説明する。
まず、ステップＳ４００で検知用スイッチであるマイクロスイッチ５０が“ON”されたか否かを判断する。ここで“ON”された場合には、ステップＳ４０１に移行し、メイン回路３４のメモリ３４ｂから設定情報を読取る。
【００５６】
ここで、設定情報とは、机上に置いたとき（マイクロスイッチ５０が“ON”の状態）に表示部２にのみ操作画面画像４１を表示するか、表示部２に操作画面画像４１を表示し、かつ、操作画面画像４１の投写も行うのか、操作画面画像４１の投写のみを行うのかの、操作者が予め設定した設定情報である。本実施形態では、操作者が設定変更しない初期状態においては、机上に置いた（図１３（ａ）で示す状態）ときに表示部２にのみ操作画面画像４１を表示するよう設定されている。また、設定情報は、メイン回路３４の記憶部としてのメモリ３４ｂに記憶され、検知部であるマイクロスイッチ５０で検知されると、表示部２に操作画面画像４１を表示するか否か、操作画面画像４１を投写するか否かを決定する決定部としてのＣＰＵ３４ａがメモリ３４ｂから設定情報を読取り、設定情報に基づいて処理を実行する。
【００５７】
ステップＳ４０２は、ステップＳ４０１で読取られた設定情報に基づき、マイクロスイッチ５０が“ON”された場合に、本実施形態では表示部２にのみ操作画面画像４１を表示する設定であるか否かを判断する。設定情報が表示部２のみの表示であればステップＳ４０３に進み、そうでなければステップＳ４０５に進む。よって、プロジェクタ１を机上に置いた状態で使用する場合は、検知用スイッチであるマイクロスイッチ５０が“ON”されるため、ステップＳ４０３では表示部２にのみ操作画面画像４１を表示し、情報画像の投写は行わない。
また、ステップＳ４０２で表示部２にのみ操作画面画像４１を表示する設定ではなく、表示部２に操作画面画像４１を表示し、投写も行う設定である場合は、ステップＳ４０５に移行し、表示部２に操作画面画像４１を表示し、操作画面画像４１の投写も行うことになる。
また、ステップＳ４００で検知用スイッチが“ON”でない場合は、ステップＳ４０４に移行し、操作画面画像４１の投写が行われる。よって、プロジェクタ１を天吊り状態で使用する場合は、検知用スイッチであるマイクロスイッチ５０が“ON”されないため、操作画面画像４１の投写が行われる。
【００５８】
上述した、実施形態によれば以下の効果が得られる。
（１）プロジェクタ１にタッチパネル２ａ付き表示部２を備えたため、タッチパネル２ａの操作により、タッチパネル２ａのスイッチ位置と対応付けられた操作画面画像４１を操作できる。また、リモコン装置４を使用して、受信部であるリモコン用回路２４を介して、操作画面画像４１の操作を行うことも可能となる。そして、タッチパネル２ａでの操作、およびリモコン装置４での操作により、選択された項目に応じた、所定の処理を実行することが可能となる。そのため、プロジェクタ１の投写するために必要な各種操作の操作性および利便性が向上する。
【００５９】
（２）電源ケーブル２０、電源接続検出部としての検出回路２２ａ、スイッチ回路２２ｂによりプロジェクタ１に電源が給電されると、認証画面画像が表示される。そして、認証部であるメイン回路３４で、入力された認証コードを認証処理し、認証されると、電源スイッチ４２ａを含めた操作画面画像４１を表示部２に表示できる。この構成により、電源投入されても認証を行わせることで、プロジェクタの不正利用防止効果を向上できる。
また、認証後にスタンバイ画面４４の状態から所定時間以上電源スイッチ４２ａが操作されない場合には、再度、パスワードを入力させるパスワード入力画面４３を表示させるため、プロジェクタ１の不正利用防止効果を更に高めることができる。
また、認証後に電源スイッチ４２ａを操作させること、および、その電源スイッチ４２ａを操作画面画像４１内に備えたことで、プロジェクタ１には、機械式のキースイッチを全てなくすことが可能となり、プロジェクタ１の不正利用防止効果を更に高めることができる。合わせて、機械式のキースイッチを全てなくしたことにより、悪意のある第３者に、例えば盗難しても操作できないのではないかといった感覚や、電源を入れてもパスワード入力が必要になり使用できないのではないかといった感覚を与える効果があり、盗難防止効果も期待できる。
【００６０】
（３）VIEWスイッチ４２ｃを備えたことで、操作画面画像４１の表示向きを特定する信号が与えられると、表示部２に表示される操作画面画像４１の向きを変更できるため、操作性が更に向上する。
【００６１】
（４）表示向きの切換え操作をするための操作部として、操作画面画像４１内にVIEWスイッチ４２ｃを備え、そのVIEWスイッチ４２ｃを操作することで、画像の向きを変更できる。そのため、プロジェクタ１の操作者は、自分の位置で操作画面画像４１内のVIEWスイッチ４２ｃを操作することで、表示画像の向きを見易い位置に変えることができるため、操作性が更に向上する。
【００６２】
（５）方向検出器としてリモコン装置４に内蔵される位置センサ（振動ジャイロ）４ａを備えることで、振動ジャイロの現在位置の信号を赤外線で出力し、その出力信号をリモコン用回路２４で受信し、メイン回路３４で所定のプログラムにより、リモコン装置４のプロジェクタ１に対しての位置を特定することができる。そして、特定された位置に対応した向きになる操作画面画像４１を表示部２に表示できる。そのため、操作者はリモコン装置４を携帯所持することで、常に操作者に対して、操作し易い向きに操作画面画像４１の向きを調整することが可能となり、操作性および利便性が更に向上する。
【００６３】
（６）プロジェクタ１に固定される表示部２に対して、画像の向きを９０°回転した表示を行う場合、表示部２の表示サイズである、縦/横のサイズが異なっていても、向きを変えて操作画面画像４１を表示する際に、そのときの縦/横サイズに合ったレイアウトに変更できる。操作者にとって、表示の向きを切換えたときも、操作画面画像４１は窮屈さがなく見やすく、しかも画面に設定項目のスイッチを適度なサイズに適度な間隔をあけて効率よく配置できるので、操作画面画像４１の操作性も確保できる。
【００６４】
（７）タッチパネル２ａの操作により選択された項目に対して、隣接する設定項目の２箇所以上が選択されたか否かをＣＰＵ３４ａが判断し、ＣＰＵ３４ａにより設定項目の２箇所以上が選択されたと判断された場合に、選択された２箇所以上の設定項目を含む操作画面画像４１の一部の表示領域を拡大表示させる。そのため、操作者は、操作画面画像４１の設定したい目的の項目部分とずれて、例えば２箇所以上操作した場合に、その設定項目を含む操作画面画像４１の一部の表示領域が拡大表示されるので、その拡大表示された画面から、確実に設定項目を操作することが可能となる。よって、操作性が更に向上する。
【００６５】
（８）操作者が拡大表示された操作画面画像４１で設定項目を操作選択すると、拡大表示される前の、基準となっていた操作画面に戻す。そのため、操作者は以降の操作を効率的に続けることができ、操作の効率化を図ることが可能となる。
【００６６】
（９）プロジェクタ１を机上などに置いたことを検知部（マイクロスイッチ５０）により検知すると、画像を投写するために必要な各種操作をするための操作画面画像４１をスクリーン４０には投写させずに、表示部２にのみ表示させることが可能となる。このため机上にプロジェクタ１を置いて使用する場合においては、操作者は、操作者以外の、例えば会議の参加者に、各種操作をするための操作画面画像４１を見せることなく操作できる。また、会議出席者も操作画面の投写画像に違和感を持つことがなくなる。
【００６７】
（１０）プロジェクタ１に備えたマイクロスイッチ５０が“OFF”の場合は、画像を投写するために必要な各種操作をするための操作画面画像４１をスクリーン４０に投写させる。よって、プロジェクタ１を天吊り状態で使用する場合、スクリーン４０に投写された操作画面画像４１を見ながら、リモコン装置４を操作して各種設定をし、使用されることのない表示部２に表示させないことにより、消費電力低減に寄与する。
【００６８】
（１１）表示部２に操作画面画像４１を表示するか否か、また、操作画面画像４１を投写するか否かの設定を予めメイン回路３４のメモリ３４ｂに記憶できるようにした。そのため、マイクロスイッチが“ON”されると、メモリ３４ｂから読み出した設定情報に応じて操作画面画像４１を表示部２に表示するか、投写するか、または表示と投写の両方を行うかを決めることができる。そのため、机上に置いてプロジェクタ１を使用する場合にも、表示部２に表示するだけでなく、操作画面画像４１をスクリーン４０に投写することもでき、操作者の都合に合わせて設定することが可能になる。
【００６９】
（１２）表示部２の画面を上側から、System表示部４１ａ、User表示部４１ｂ、Information表示部４１ｃという、３種類の表示領域に分割した構成にすることで、表示部２の視認性を向上させ、プロジェクタ１の操作性を向上させた。
【００７０】
（１３）操作者はプロジェクタ１を操作する場合、User表示部４１ｂで次にすべき操作説明がされるため操作補助となり、操作がし易くなる。また、表示部２がタッチパネル２ａなので、画像に手を直接触れることで選択および設定できるため、操作者の利便性が向上する。
【００７１】
（１４）画像を投写させるために必要な各種操作をするための操作画面画像４１に対して、タッチパネル２ａまたはリモコン装置４の双方で操作可能とした。そのため、例えばタッチパネル２ａが操作しても認識されない場合には、リモコン装置４を用いて操作が行えるなど、どちらか一方に不具合があった場合に、相互に補完し合えるため利便性が向上する。
【００７２】
（１５）表示画像の向きを回転させ表示させる場合、従来のように機械的に表示部２を回転させる必要が無いため、回転動作や回路配線の接続動作の信頼性を考慮する必要がなくなり、表示画像の向きを回転させ表示させるための信頼性が向上する。
【００７３】
なお、本発明は上述した実施形態に限定されず、上述した実施形態に種々の変更や改良など加えることが可能である。変形例を以下に述べる。
（変形例１）本実施形態の表示部２のUser表示部４１ｂは画像を投写するために必要な各種の投写条件を設定および修正するスイッチ領域であり、初期的に設定されたレイアウトの操作画面画像４１を使用しているが、これに限らず、操作者が自由に操作画面画像４１のレイアウトをカスタマイズする機能を備えても良い。
この実施方法を説明する。画像を投写するために必要な各種の投写条件項目内にカスタマイズ用スイッチが設定されているか、User表示部４１ｂにカスタマイズ用スイッチが設定されているとして、設定されたカスタマイズ用スイッチが操作されると、プロジェクタ１のメイン回路３４内のメモリ３４ｂからカスタマイズ用のプログラムを読出す。そして、ＣＰＵ３４ａは読み出したプログラムと、操作者の表示部２に表示される操作画面画像４１を操作することでの操作信号とにより処理を実行する。そして、カスタマイズされた操作画面画像４１のレイアウトをＩＦ制御回路２８内のＲＯＭに記憶することでカスタマイズが可能となる。または、カスタマイズ用のプログラムを搭載したパソコンなどを用いて、外部通信回路２６のＲＳ２３２-Ｃや、ＵＳＢ（Universal Serial Bus）や、ＬＡＮ（Local Area Network）などを介して、ＩＦ制御回路２８の操作画面画像４１を記憶するＲＯＭを直接書き替えることでも可能となる。
これにより、操作者はオリジナルの操作画面画像４１を作ることができるため、操作効率が更に向上する。
【００７４】
（変形例２）本実施形態の表示部２のUser表示部４１ｂは画像を投写するために必要な各種の投写条件を設定および修正するスイッチ領域である。そして、初期的に設定されたレイアウトの操作画面画像４１を使用している。しかし、これに限らず、User表示部４１ｂの操作スイッチに対して操作頻度の高い順に操作スイッチを並び換え、表示部２に表示させるなどの機能（学習機能）を備えても良い。
この実施方法を説明する。ここで前提として、ＣＰＵ３４ａは内部のカウンターで、今まで操作された操作スイッチの操作回数をカウントして、カウントした結果をメモリ３４ｂに記憶させているものとして説明する。まず、画像を投写するために必要な各種の投写条件項目内に学習用スイッチが設定されているか、User表示部４１ｂに学習用スイッチが設定されているとして、設定された学習用スイッチが操作されると、メイン回路３４はメモリ３４ｂから学習用のプログラムを読出す。そして、読み出した学習用プログラムの実行を開始する。そして、記憶された操作スイッチに対応する操作回数をメモリ３４ｂから読出して、操作スイッチの操作回数の多い順に操作されたスイッチに対応する設定項目を並べる処理を実行し、ＩＦ制御回路２８のＲＯＭに記憶させることで実現できる。
これにより、操作者は使用頻度の高い設定項目を直ちに操作することが可能になるため、操作効率が更に向上する。
【００７５】
（変形例３）本実施形態において、表示部２に表示される操作画面画像４１に対して、操作がなく、所定時間以上経過した場合には、表示部２の表示を消す。そして、消した後にタッチパネル２ａが操作されると、再度、表示を行う機能を備えても良い。
この実施方法としては、メイン回路３４内のＣＰＵ３４ａでスイッチ操作後の経過時間を計測し、この経過時間が設定された所定時間以上になった場合、表示部２に表示された操作画面画像４１を消す処理を実行する。そして、実行した後に操作信号がメイン回路３４に最初に入力されたとき、元の操作画面画像４１を表示させる処理を実行することで実現できる。これにより、プロジェクタ１の消費電力低減に寄与する。
【００７６】
（変形例４）本実施形態の表示部２は、パネルにＴＦＴ方式のＬＣＤを採用しているが、これに限らず、ＭＩＭ（Metal In Metal liquid crystal）方式のＬＣＤや、ＤＳＴＮ（Dual Scan Super Twisted Nematic）方式のＬＣＤや、有機ＥＬディスプレイ（organic electro luminescence display）なども採用することができる。
【００７７】
（変形例５）本実施形態の表示部２は、タッチパネル２ａとして、抵抗膜方式のタッチパネル２ａを採用しているが、これに限らず、容量結合方式、静電容量方式、赤外線方式、超音波方式などのタッチパネルを採用することができる。また、タッチパネルを操作する場合、指で操作する以外に、ペンなどで操作する場合には、電磁誘導方式、静電結合方式などの分解能の高い方式を採用することも可能である。
【００７８】
（変形例６）本実施形態のリモコン装置４のスイッチ配置や形状などは、本実施形態に限られず、適宜本発明の趣旨にそう範囲において、変更可能である。
【００７９】
（変形例７）本実施形態ではVIEWスイッチ４２ｃを操作する毎に操作画面画像４１方向を９０°毎に回転させ表示させている、しかし、VIEWスイッチ４２ｃを操作する毎に１８０°で２方向の表示にさせるのも良い。また、本実施形態では回転方向は、右周りの回転であるが、これを逆回転にしても良い。また、VIEWスイッチ４２ｃも１つではなく、直接表示画面の表示方向を選べるように、４個の方向を選ぶスイッチがあっても良い。また、このような設定を操作画面画像４１での操作で行わせることで、操作性を向上できる。
また、表示部２の画面形状を円形とし、９０°未満の所定角度（例えば４５°）毎に操作画面画像４１の向きを変更できる構成としても良い。
【００８０】
（変形例８）本実施形態では、操作者に携帯される方向検出器として、リモコン装置４を用いている。しかし、リモコン装置４と兼用ではなく、より小型化した方向検出器として、操作者に携帯できるようにしても良い。この場合、方向検出器の携帯性を向上することができる。また、リモコン装置４と別に方向検出器を用意する場合、プロジェクタ１には方向検出器専用の通信部（たとえば、無線通信部）を設けても良い。
【００８１】
（変形例９）本実施形態では、位置センサ４ａとして、振動ジャイロを用いている。しかし、振動ジャイロに限られるものではなく、マイクロマシン技術を用いた、マイクロジャイロなどでも良い。この場合、より小型の方向検出器が実現できる。
【００８２】
（変形例１０）本実施形態では、机上にプロジェクタ１が置かれたか否かを検知する検知用スイッチとしてマイクロスイッチ５０を用いている、しかし、圧力センサ、歪ゲージを用いて固定足１４の先端部１４ａなどに設置することでも可能である。または光を用いて距離を計測することでも可能である。
【図面の簡単な説明】
【００８３】
【図１】本発明の実施形態に係るプロジェクタの概略斜視図。
【図２】実施形態の概略構成図。
【図３】表示部の構成と操作画面画像の例示図。
【図４】電源を投入してから投写するまでの動作を示すフローチャート。
【図５】電源を投入してから投写するまでのステップにおける表示例を示す図。
【図６】電源を“OFF”する場合の表示例を示す図。
【図７】リモコン装置の概略平面図。
【図８】操作画面画像の向きを決める場合の動作を示すフローチャート。
【図９】操作画面画像の向きを模式的に示した図。
【図１０】操作画面画像の表示向きを変更した場合の表示例を示す図。
【図１１】拡大表示された表示例を示す図。
【図１２】設定項目の隣接するスイッチが２箇所以上操作された場合の動作を示すフローチャート。
【図１３】検知部を備えた例示図。
【図１４】検知部での動作を示すフローチャート。
【符号の説明】
【００８４】
１…プロジェクタ、１ａ…上面部、１ｂ…前面部、１ｃ…左側面部、１ｄ…右側面部、１ｅ…背面部、１ｆ…底面部、１ｇ…本体、２…表示部、２ａ…タッチパネル、４…リモコン装置、４ａ…位置センサ、４ｂ…リモコン送信部、６…リモコン受光部、８…投写レンズ、９…排気口、１０…吸気口、１１…報音穴、１２…ＬＥＤ、１３…高さ調整可能な足、１４…固定足、１４ａ…固定足の先端部、１６…固定部、２０…電源ケーブル、２２…電源回路、２２ａ…検出回路、２２ｂ…スイッチ回路、２４…受信部及び通信部としてのリモコン用回路、２６…外部通信回路、２８…操作画面表示処理部、認証画面表示処理部、表示向き変更部、拡大画面表示処理部、表示画面復帰処理部を構成するＩＦ制御回路、３０…映像入力回路、３２…ランプ駆動回路、３４…操作画面表示処理部、認証画面操作処理部、表示向き変更部、拡大画面表示処理部及び表示画面復帰処理部を構成するとともに、操作受付処理部、認証部、判断部および決定部としてのメイン回路、３４ａ…ＣＰＵ、３４ｂ…記憶部としてのメモリ、３６…投写用液晶駆動回路、３８…液晶パネル、４０…スクリーン、４１…操作画面画像、４１ａ…System表示部、４１ｂ…User表示部、４１ｃ…Information表示部、４２…設定画面画像、４２ａ…電源スイッチ、４２ｂ…エスケープスイッチ、４２ｃ…VIEWスイッチ、４２ｄ…メニュースイッチ、４２ｅ…エンタースイッチ、４２ｆ…台形補正スイッチ、４２ｇ…入力ソーススイッチ、４２ｈ…カラーモードスイッチ、４３…パスワード入力画面、４３ａ…数字スイッチ、４４…スタンバイ画面、４５…ランプ異常画面、４６…異常報知画面、４７…電源OFF確認画面、４８…注意画面、５０…検知部（検出用スイッチ）としてのマイクロスイッチ、５０ａ…可動用ピン、５０ｂ…端子、６０…下ケース、７０…マイクロスイッチ用回路基板、８０…机上面、９０…固定用部材、１００…リモコン装置に設けた電源スイッチ、１０２…設定項目を選択する場合に使用するジョグスイッチ、１０４…System表示部の表示に対応する領域、１０６…User表示部のソース選択スイッチに対応する領域、１０８…User表示部のパスワード入力用の数字スイッチなどに対応する領域、１１０…位置通信操作スイッチ、１１０ａ…位置通信操作表示用ＬＥＤ、１１２…リモコン操作スイッチ、１１２ａ…リモコン操作表示用ＬＥＤ、１１４…リモコン装置用電源スイッチ。
【図１】
2005215144.tif 000003
【図２】
2005215144.tif 000004
【図３】
2005215144.tif 000005
【図４】
2005215144.tif 000006
【図５】
2005215144.tif 000007
【図６】
2005215144.tif 000008
【図７】
2005215144.tif 000009
【図８】
2005215144.tif 000010
【図９】
2005215144.tif 000011
【図１０】
2005215144.tif 000012
【図１１】
2005215144.tif 000013
【図１２】
2005215144.tif 000014
【図１３】
2005215144.tif 000015
【図１４】
2005215144.tif 000016